(57)【要約】【課題】床重量を大幅にアップさせることなく、良好な歩行感と良好な遮音性能を両立させ得るようにした床構造を提供する。【解決手段】縦梁１ａ、１ｂと横梁１ｃ、１ｄにより矩形に組まれた最小単位として構成される一つの梁伏からなる床梁１と、連結部材２０、２０により一体的に連結された６枚のＡＬＣ製の床パネル２１〜２６とパーティクルボード２７とからなり床梁１上に配設された床材２と、床梁１と連結部材２０、２０の間の６箇所に１個づつ設置されて床材２を支持する弾性支持部材３、…、３と、床材２の縦梁１ａ側の辺を４等分して該辺の両端から略１／４となる位置に沿って二列に配置され、それぞれの列に重心が略沿うようにして４箇所に設置された合計８個の制振装置４１〜４８と、から構成されている。各制振装置４１〜４８は、１０個のダイナミックダンパを備えている。【選択図】      図１
2006037399.tif 000002
【特許請求の範囲】
【請求項１】
建築構造物の床梁上に床材が配設されている床構造において、
前記床梁と前記床材の間に設けられて該床材を支持する複数の弾性支持部材と、前記床材に設置されたばね部材とマス部材とからなるダイナミックダンパと、を備えていることを特徴とする床構造。
【請求項２】
前記弾性支持部材は、その内部に液体が封入された液室を有する液封マウントである請求項１に記載の床構造。
【請求項３】
前記液封マウントは、複数の液室を有し、該液室どうしを互いに連通するオリフィス通路を備えている請求項２に記載の床構造。
【請求項４】
前記ダイナミックダンパは、共振周波数が床固有値に合わせてチューニングされている請求項１〜３に記載の床構造。
【請求項５】
前記ダイナミックダンパは、前記床材の複数箇所に設置され、１箇所には１個以上設置されている請求項１〜４に記載の床構造。
【請求項６】
前記弾性支持部材は、縦梁と横梁により矩形に組まれた最小単位の梁伏に対してコーナ部の４箇所と各前記横梁の中央部の１箇所づつに設置され、前記ダイナミックダンパは、前記床材の前記縦梁側の辺を４等分して該辺の両端から略１／４となる位置に沿って二列に配置され、それぞれの列に重心が略沿うようにして４箇所以上に設置されている請求項１〜５に記載の床構造。
【請求項７】
前記ダイナミックダンパの前記マス部材の総合質量は、床材の総合質量の８〜２５％である請求項１〜６に記載の床構造。
【請求項８】
前記ダイナミックダンパの１個の前記マス部材の質量は、床材の総合質量の０．０５〜１．０％である請求項１〜７に記載の床構造。
【発明の詳細な説明】
【技術分野】
【０００１】
本発明は、例えば一般住宅及び集合住宅（アパート、マンション）等の建築構造物の床構造に関する。
【背景技術】
【０００２】
一般住宅等においては、床に飛び跳ねや踏み台からの降下等による衝撃が加わると振動が発生し、その振動が不快音や不快震動等の原因となることから問題となる。さらに、戸建住宅やマンション等においては、居室や廊下の床に発生する振動や衝撃音が階下に直接的に伝搬されるため、階下の住人にとっては甚だしい騒音となる場合がある。
【０００３】
そこで、一般住宅等の床に発生する振動や衝撃音を抑制するために、従来より種々の対策が講じられており、例えば特許文献１及び２に開示されているように、建築構造物の床梁に衝撃等の振動を吸収する液封マウントを介して床パネルが載置固定される床構造が知られている。この場合、床梁の上面に固定された液封マウントの上に床パネルが載置固定されたり、床梁の側面部に取付けられたブラケットに液封マウントを介して床パネルの周端部が載置固定される。この床構造においては、床パネルに発生した振動が液封マウントにより吸収されるため、階下に伝搬される６３Ｈｚ帯域（４５〜９０Ｈｚ）の衝撃音や振動を低減することができる。
【０００４】
なお、ここで用いられる液封マウントは、一般に、ゴム弾性体の内部に、液体が封入され且つオリフィス通路により互いに連通する複数の液室が設けられている構造のものである。そして、この液封マウントに床パネル等からの衝撃が加わると、ゴム弾性体が上下に圧縮変形することによりその衝撃が緩和されるとともに、各液室の容積変化に伴ってオリフィス通路を流動する液体の液柱共振作用によりその振動が効果的に吸収されるようになっている。
【０００５】
また、例えば特許文献３〜５に開示されているように、基部に固着されたばね部材と該ばね部材に弾性支持されたマス部材とからなるダイナミックダンパを床梁等に設置して、床に発生する振動や衝撃音を低減するようにした床構造が知られている。更に、例えば特許文献６及び７に開示されているように、ばね部材とマス部材とからなる複数個のダイナミックダンパを備え、各ダイナミックダンパの共振周波数が異なるようにチューニングされた制振装置も知られている。
【０００６】
ところで、建築構造物の床の遮音性能は、ＪＩＳ・Ａ１４１８−２「建築物の床衝撃音遮断性能の測定方法・第２部：標準重量衝撃源による方法」に基づいて一般に評価されている。この評価において、上記の液封マウントを採用した床構造の場合には、ＬＨ６０〜ＬＨ６５の遮音性能にすることができる。しかし、液封マウントのばね定数が低過ぎると、床を歩行する際の歩行感が損なわれるため、液封マウントのばね定数を低く下げるにも限界がある。また、ダイナミックダンパを設置した床構造の場合には、ＬＨ６０程度の遮音性能にするのが限界である。
【０００７】
一方、ＬＨ６５〜ＬＨ７０のレベルに遮音性能を向上させる方策として、床重量を重くする方法が有効であることから、高質量で高剛性の軽量気泡コンクリート（以下、「ＡＬＣ」ともいう。）製の床パネルを採用することが知られている。しかし、この方法により、例えば遮音性能をＬＨ６０程度に２ランク向上させる（衝撃音を１０ｄＢ低減させる）には、床面密度を６５ｋｇ／ｍ2 から３５０ｋｇ／ｍ2 へ上げる必要がある。そのため、床重量がアップするのに伴い、躯体や基礎を大きくしたり頑強に補強する必要があり、建築構造物の基本構造の変更やコストアップを招くこととなる。そのため、床重量を重くする方法にも限界がある。
【特許文献１】特開平９−７２０３５号公報
【特許文献２】特開２００３−１３０６１１号公報
【特許文献３】特開２００２−３２８０号公報
【特許文献４】特開２００３−２７８４０９号公報
【特許文献５】特開２０００−３５５９９４号公報
【特許文献６】特開平９−１１９４７７号公報
【特許文献７】特開平１０−１５９８９４号公報
【発明の開示】
【発明が解決しようとする課題】
【０００８】
本発明は上記実状に鑑みてなされたものであり、床重量を大幅にアップさせることなく、良好な歩行感と良好な遮音性能を両立させ得るようにした床構造を提供することを解決すべき課題とするものである。
【課題を解決するための手段】
【０００９】
上記課題を解決する本発明の床構造は、建築構造物の床梁上に床材が配設されている床構造において、前記床梁と前記床材の間に設けられて該床材を支持する複数の弾性支持部材と、前記床材に設置されたばね部材とマス部材とからなるダイナミックダンパと、を備えていることを特徴としている。
【００１０】
本発明の床構造では、床材に飛び跳ねや踏み台からの下降等による衝撃が加わって衝撃音が発生すると、床材によりその衝撃が緩和されるとともに、その床材の振動が床材を支持する弾性支持部材により吸収されることよって衝撃音が低減される。また、これと同時に、床材に設置されたダイナミックダンパにより床材の振動が効果的に吸収される。
【００１１】
そのため、これら弾性支持部材とダイナミックダンパによる相乗作用によって、床材に発生した衝撃音が効率よく極めて良好に低減される。これにより、弾性支持部材のばね定数を十分に低く設定する必要がないため、良好な歩行感の確保が可能となる。また、本発明の床構造は、床材の質量や剛性を大幅にアップする必要がないため、建築構造物の基本構造の変更や大幅なコストアップを招く恐れはない。
よって、本発明の床構造によれば、床重量を大幅にアップさせることなく、良好な歩行感と良好な遮音性能を両立させることが可能となる。
【００１２】
本発明において用いられる床材としては、プレキャストコンクリートや木質の板材等の床パネルが採用される。特に、高剛性で高質量のコンクリート製の床パネルは、重量床衝撃音対策に好適であり、中でも、軽量気泡コンクリート（以下、「ＡＬＣ」ともいう。）製の床パネルが好ましい。なお、ＡＬＣとは、石灰質原料とケイ酸質材料を主原料とし、発泡剤を加えて発泡させるか、予め作った気泡を混入して多孔質化させた後、オートクレーブ養生して得られる軽量の気泡コンクリートのことである。
【００１３】
本発明において用いられる弾性支持部材としては、ゴム弾性体を主体として構成される防振ゴムマウントが採用される。この防振ゴムマウントのうちで、ゴム弾性体の内部に液体が封入された液室を有する液封マウントを採用すれば、歩行振動の周波数域（１０〜３０Ｈｚ）において大きな減衰係数を有するため、良好な歩行感を得ることができる。
【００１４】
さらに、液封マウントのうちでも、複数の液室を有し、その液室どうしを互いに連通するオリフィス通路を備えている液封マウントは、特に好適に採用することができる。この液封マウントは、飛び跳ねや踏み台からの下降によって発生する振動の周波数域（１０〜１００Ｈｚ）において低い動ばね定数を有するように容易にチューニングすることができるため、より良好な衝撃音低減効果を得ることができる。なお、この液封マウントに設けられるオリフィス通路の本数は、１本であっても２本以上であってもよい。
【００１５】
この弾性支持部材は、縦梁と横梁により矩形に組まれた最小単位の梁伏に対して、コーナ部の４箇所と各横梁の中央部の１箇所づつに設置されるのが好ましい。このように弾性支持部材を設置すれば、床材に発生する衝撃音を効果的に低減させ得る。
【００１６】
本発明において用いられるダイナミックダンパは、基部に固着されたばね部材と該ばね部材に弾性支持されたマス部材とからなるものである。このダイナミックダンパは、床材の裏面（下面）の複数箇所に略均等に分散した状態に設置されるのが好ましく、１箇所に１個以上のダイナミックダンパが設置される。１箇所に複数個のダイナミックダンパを設置する場合には、複数個のダイナミックダンパを有する１個の制振装置を１箇所に設置するようにしてもよい。このような制振装置を採用する場合には、複数個のダイナミックダンパにより複数種類の共振周波数を有するようにチューニングすることができる。
【００１７】
ダイナミックダンパの共振周波数は、床固有値に合わせてチューニングされているのが好ましい。このようにすれば、ダイナミックダンパを効果的に機能させることができるので、弾性支持部材との相乗効果によって、より良好な衝撃音の低減が期待できる。なお、１箇所以上の設置個所で制振装置の共振周波数が異なるようにチューニングすることによって、床固有値の上下の範囲で複数種類の共振周波数を有するように設定することができる。このようにすれば、振動低減を目的とする周波数に幅をもたせることができるので、構造物件の違い等による床固有値のバラツキを吸収することが可能となり、ダイナミックダンパの振動低減機能をより確実に発揮させることができる。
【００１８】
上記のように、弾性支持部材が、縦梁と横梁により矩形に組まれた最小単位の梁伏に対してコーナ部の４箇所と各横梁の中央部の１箇所づつに設置された場合に、ダイナミックダンパは、床材の縦梁側の辺を４等分して該辺の両端から略１／４となる位置に沿って二列に配置され、それぞれの列に重心が略沿うようにして４箇所以上に設置されているのが好ましい。このように弾性支持部材とダイナミックダンパを設置すれば、良好な歩行感と遮音性能の確保を極めて高いレベルで両立させることが可能となる。この場合、ダイナミックダンパは、床材として使用される床パネルの枚数に応じて設置箇所が決定され、各床パネルの幅方向（横梁が延びる方向）における中央部に設置するのが好ましく、１枚の床パネルに対して２箇所づつ設置されるのが好ましい。
【００１９】
また、ダイナミックダンパは、床固有値の上下の範囲で複数種類の共振周波数を有するように設定されているのが好ましい。このようにすれば、振動低減を目的とする周波数に幅をもたせることができるので、構造物件の違い等による床固有値のバラツキを吸収することが可能となり、ダイナミックダンパの振動低減機能をより確実に発揮させることができる。
【００２０】
ダイナミックダンパのマス部材の総合質量は、床材の総合質量の８〜２５％とされているのが好ましい。マス部材の総合質量が床材の総合質量の８％未満であると、ダイナミックダンパによる十分なダンパ効果を期待できなくなる。逆に、マス部材の総合質量が床材の総合質量の２５％を越えると、躯体や基礎を大きくしたり頑強に補強する必要があり、建築構造物の基本構造の変更やコストアップを招くこととなる。
【００２１】
また、ダイナミックダンパの１個のマス部材の質量は、床材の総合質量の０．０５〜１．０％とされているのが好ましい。１個のマス部材の質量が床材の総合質量の０．０５％未満であると、ダイナミックダンパによる十分なダンパ効果を期待できなくなる。逆に、１個のマス部材の質量が床材の総合質量の１．０％を越えると、マス部材の揺れが少なくなり、ダイナミックダンパによるダンパ効果が期待できなくなる。
【発明の効果】
【００２２】
本発明の床構造は、床梁と床材の間に設けられて床材を支持する複数の弾性支持部材と、床材に設置されたばね部材とマス部材とからなるダイナミックダンパと、を備えているため、床重量を大幅にアップさせることなく、良好な歩行感と遮音性能の確保を両立させることができる。なお、本発明者等が行った試験により、Δ１０ｄＢ以上の衝撃音レベル低減を達成できることが確認されており、遮音性能を大幅に向上させることができる。
【発明を実施するための最良の形態】
【００２３】
以下、本発明の実施形態を図面に基づいて説明する。
図１は本実施形態に係る床構造の底面図であって上階の床を裏面側から見上げた状態を示す図であり、図２は図１のII−II線に相当する部分の矢視断面図であり、図３は図１のIII −III 線に相当する部分の矢視断面図であり、図４は本実施形態において使用される弾性支持部材の断面図である。
【００２４】
本実施形態の床構造は、縦梁１ａ、１ｂと横梁１ｃ、１ｄにより矩形に組まれた最小単位として構成される一つの梁伏からなる床梁１と、連結部材２０、２０により一体的に連結された６枚のＡＬＣ製の床パネル２１〜２６とパーティクルボード２７からなり床梁１上に配設された床材２と、床梁１と連結部材２０、２０の間の６箇所に１個づつ設置された弾性支持部材３、…、３と、床材２の縦梁１ａ側の辺を４等分して該辺の両端から略１／４となる位置に沿って二列に配置され、それぞれの列に重心が略沿うようにして４箇所に設置された合計８個の制振装置４１〜４８と、から構成されている。
【００２５】
床梁１は、Ｈ型鋼が採用されており、２本の縦梁１ａ、１ｂと、その縦梁１ａ、１ｂの両端どうしを結ぶ２本の横梁１ｃ、１ｄとにより矩形に組まれている。この床梁１は、縦梁１ａ、１ｂの芯−芯間寸法が２７５０ｍｍとされ、横梁１ｃ、１ｄの芯−芯間寸法が１７５０ｍｍとされている。各横梁１ｃ、１ｄの長手方向両端部及び中央部の３箇所には、弾性支持部材４、…、４を設置するためのブラケット１ｅ、…、１ｅが取付けられている。
【００２６】
床パネル２１〜２６は、軽量気泡コンクリート（ＡＬＣ）製の長い板状のものが採用されている。６枚の床パネル２１〜２６は、隣りどうしが接し合うようにして並列状に配置された状態で、２本の連結部材２０、２０によって一体的に連結されている。連結部材２０、２０は、Ｃ型チャネル鋼が採用されており、各床パネル２１〜２６の裏面の長手方向両端部に取付金具（図示せず）により取付けられている。この床パネル２１〜２６は、床梁１の各ブラケット１ｅ、…、１ｅ上に設置された弾性支持部材３、…、３と連結部材２０、２０が固定されることにより、弾性支持部材３、…、３に弾性支持された状態で、横梁１ｃ、１ｄが延びる方向に並列に配置されている。
【００２７】
両側の２枚の床パネル２１、２６は、長さが１７５０ｍｍ、幅が３１０ｍｍ、厚さが１００ｍｍのものである。中央部の４枚の床パネル２２〜２５は、長さが１７５０ｍｍ、幅が５００ｍｍ、厚さが１００ｍｍのものである。床パネル２１〜２６上には、パーティクルボード２７が配置されている。この床材２の総合質量は、約８００ｋｇである。
【００２８】
弾性支持部材３、…、３は、床梁１の６箇所に設けられたブラケット１ｅ、…、１ｅ上にそれぞれ１個づつ設置されている。即ち、弾性支持部材３、…、３は、最小単位の梁伏に対して、コーナ部の４箇所と横梁１ｃ、１ｄの中央部の１箇所づつ合計６箇所に設置されている。これにより、連結部材２０、２０により一体化された６枚の床パネル２１〜２６が、連結部材２０、２０を介して弾性支持部材３、…、３により弾性支持された状態で床梁１上に配設されている。
【００２９】
なお、本実施形態では、弾性支持部材３、…、３として液封マウントが採用されている。この液封マウントは、図４に示すように、一方の取付相手部材に取付けられる第１取付部材３１と、他方の取付相手部材に取付けられる有底円筒状の第２取付部材３２と、第１取付部材３１と第２取付部材３２の間に介在して両部材を一体的に連結するゴム弾性体３３と、第２取付部材３２の内周に周縁部を保持されてゴム弾性体３３との間に液体室を形成するダイヤフラム３４と、第２取付部材３２の内周に周縁部を保持されて前記液体室をオリフィス通路３６により相互に連通する主液室３７と副液室３８とに仕切る仕切部材３５とを備えている。この液封マウントの静的ばね定数は１０００Ｎ／ｍｍとされ、良好な歩行感を得るために好ましい範囲である９００Ｎ／ｍｍ以上に設定されている。
【００３０】
制振装置４１〜４８は、略コの字形状に形成された金属製の取付基部４１ａ〜４８ａと、取付基部４１ａ〜４８ａに固着された１０個のばね部材としてのゴム弾性体４１ｂ〜４８ｂと、各ゴム弾性体４１ｂ〜４８ｂにそれぞれ弾性支持された１０個の鉄系等の金属製のマス部材４１ｃ〜４８ｃとからなる１０個のダイナミックダンパを備えたものである。これら制振装置４１〜４８のそれぞれのダイナミックダンパの共振周波数は、床固有値に合わせて、全て５３Ｈｚにチューニングされている。ダイナミックダンパのマス部材４１ｃ〜４８ｃの総合質量は、床材２の総合質量の１１％とされており、８〜２５％の好ましい範囲内である。また、ダイナミックダンパの各マス部材４１ｃ〜４８ｃの１個の質量は、床材２の総合質量の０．０７５％とされており、０．０５〜１．０％の好ましい範囲内である。
【００３１】
これら８個の制振装置４１〜４８の重心は、床材２の縦梁１ａ、１ｂ側の辺を４等分して該辺の両端から略１／４となる位置を通る直線Ｌ１、Ｌ２上に二列に配置され、それぞれの列の４箇所に設置されている。即ち、制振装置４１〜４４の重心は直線Ｌ１上に配置され、また、制振装置４５〜４８の重心は直線Ｌ２上に配置されている。８個の制振装置４１〜４８は、中央部の４枚の床パネル２２〜２５のに対して、床パネル２２〜２５の下面（裏面）の幅方向における中央部に、取付基部４１ａ〜４８ａの両端部がそれぞれ直線Ｌ１、Ｌ２上に位置するようにして取付ボルト４９ａ及びナット４９ｂにより取付けられている。これにより、８個の制振装置４１〜４８は、各床パネル２２〜２５に対してそれぞれ２箇所に設置されている。但し、制振装置４１〜４８の取付配置の向きについては、図１に示されているように、取付基部４１ａ〜４８ａの両端部がそれぞれの直線Ｌ１、Ｌ２上に位置するような横長配置に限られず、重心位置で９０度回転させた状態の縦長配置
にしてもよい。
【００３２】
また、本実施形態では、制振装置４１〜４８のそれぞれの重心位置は、それぞれ直線Ｌ１、Ｌ２上に有って各床パネル２２〜２５の幅方向（横梁が延びる方向）における中央部に有るが、各床パネル２２〜２５の幅方向において隣り合う床パネルどうしの境界線上付近にあるようにしてもよい。
【００３３】
また、図１に示される８個の制振装置４１〜４８の内、制振装置４１〜４４は、直線Ｌ１に対して、例えば制振装置４１、４３の重心位置が若干上側にずれ、制振装置４２、４４の重心位置が若干下側にずれるように配置される、千鳥配置になっていてもよい。同様に、制振装置４５〜４８も、直線Ｌ２に対して、例えば制振装置４５、４７の重心位置が若干上側にずれ、制振装置４６、４８の重心位置が若干下側にずれるように配置される、千鳥配置になっていてもよい。
【００３４】
以上のように構成された本実施形態の床構造では、床材２に飛び跳ねや踏み台からの下降等による衝撃が加わって衝撃音が発生すると、床材２によりその衝撃が緩和されるとともに、その床材２の振動が床材２を支持する弾性支持部材３、…、３により吸収されることよって衝撃音が低減される。また、これと同時に、床材２に設置されたそれぞれ１０個のダイナミックダンパを有する制振装置４１〜４８により床材２の振動が効果的に吸収される。
【００３５】
そのため、これら弾性支持部材３、…、３とダイナミックダンパによる相乗作用によって、床材２に発生した衝撃音が効率よく極めて良好に低減される。これにより、弾性支持部材３、…、３のばね定数を十分に低く設定する必要がないため、良好な歩行感の確保が可能となる。また、本実施形態の床構造は、床材２の質量や剛性を大幅にアップする必要がないため、建築構造物の基本構造の変更や大幅なコストアップを招く恐れはない。
【００３６】
したがって、本実施形態の床構造によれば、床梁１と床材２の間に床材２を支持する複数の弾性支持部材３、…、３が設置され、且つゴム弾性体４１ｂ〜４８ｂとマス部材４１ｃ〜４８ｃとからなる１０個のダイナミックダンパを有する８個の制振装置４１〜４８が床材２に設置されていることから、床重量を大幅にアップさせることなく、良好な歩行感と良好な遮音性能を両立させることができる。
【００３７】
特に、本実施形態においては、弾性支持部材３、…、３として、静的ばね定数が１０００Ｎ／ｍｍに設定され、歩行振動の周波数域（１０〜３０Ｈｚ）において大きな減衰係数を有する液封マウントが採用されていることから、良好な歩行感を確保することができる。しかもこの液封マウントは、飛び跳ねや踏み台からの下降によって発生する振動の周波数域（１０〜１００Ｈｚ）において低い動ばね定数を有するように容易にチューニングすることができるため、より良好な衝撃音低減効果を得ることができる。
【００３８】
また、本実施形態においては、各ダイナミックダンパの共振周波数が床固有値に合わせてチューニングされていることから、ダイナミックダンパを効果的に機能させることができるので、弾性支持部材３、…、３との相乗効果によって、より良好な衝撃音の低減が可能となる。さらに、これらのダイナミックダンパは、マス部材４１ｃ〜４８ｃの総合質量や各マス部材４１ｃ〜４８ｃの１個の質量が、床材２の総合質量に対する最適な割合に設定されていることによっても、ダイナミックダンパを効果的に機能させることができる。
【００３９】
なお、本実施形態では、制振装置４１〜４８のそれぞれのダイナミックダンパの共振周波数は全て同じ５３Ｈｚにチューニングされているが、それぞれのダイナミックダンパの共振周波数を少し変えたり、或いは、１箇所以上の設置箇所で共振周波数が異なるようにして、床固有値の上下の範囲で複数種類の共振周波数を有するようにチューニングするようにすれば、更に低減周波数領域が広がるので、全体的に遮音性能を向上させることができる。
【００４０】
また、本実施形態においては、弾性支持部材３、…、３が、縦梁１ａ、１ｂと横梁１ｃ、１ｄにより矩形に組まれた最小単位の梁伏に対してコーナ部の４箇所と各横梁１ｃ、１ｄの中央部の１箇所づつに設置され、制振装置４１〜４８が、床材２の縦梁１ａ、１ｂ側の辺を４等分して該辺の両端から略１／４となる位置に沿って二列に配置され、それぞれの列に重心が略沿うようにして４箇所に設置されているため、良好な歩行感と良好な遮音性能を極めて高いレベルで両立させることができる。即ち、本発明者等が行った試験により、Δ１０ｄＢ以上の衝撃音レベル低減を達成できることが確認されており、遮音性能を大幅に向上させることができる。
【００４１】
また、本実施形態では、ＡＬＣ製の床パネル２１〜２６が採用されていることから、高剛性と高質量が確保されるので、有利に良好な遮音性能を得ることができる。
【００４２】
なお、上記実施形態では、弾性支持部材３、…、３として液封マウントが採用されているが、静的ばね定数が９００Ｎ／ｍｍ以上を満足していれば、ゴムマウントでも良好な歩行感を得ることができるので、本実施形態のダイナミックダンパとの組合せにより、良好な歩行感と遮音性能との両立を図ることができる。
【００４３】
また、上記実施形態のダイナミックダンパは、金属製のマス部材４１ｃ〜４８ｃとゴム弾性体４１ｂ〜４８ｂからなるばね部材とで構成されているが、ゴム弾性体４１ｂ〜４８ｂの中に液体を封入した液封ダイナミックダンパを採用してもよい。
【００４４】
〔試験〕
上記実施形態の床構造の遮音性能を調べるために、ＪＩＳ・Ａ１４１８−２「建築物の床衝撃音遮断性能の測定方法・第２部：標準重量衝撃源による方法」に基づいて試験を行った。この試験では、実施例として、上記実施形態の最小単位の二つの梁伏を、横梁どうしが並列状に連結される状態に組み合わせた床構造を準備した。また、比較例として、実施例の床構造から弾性支持部材及び制振装置（ダイナミックダンパ）を排除した点でのみ異なる通常の床構造を準備した。そして、これら実施例及び比較例の床構造について、上記試験方法に基づいて衝撃音の測定を行ったところ、図５に示す結果が得られた。
【００４５】
図５から明らかなように、比較例は、６３Ｈｚ帯域の衝撃音レベルが８８．０ｄＢであり、ＬＨ６５の遮音性能であった。これに対して、実施例は、６３Ｈｚ帯域の衝撃音レベルが７６．７ｄＢであり、比較例に比べてΔ１１．３ｄＢの大幅な衝撃音低減効果があることが判った。また、実施例の遮音性能はＬＨ５３．７であり、比較例に比べて２ランク向上していることが判った。
【図面の簡単な説明】
【００４６】
【図１】本発明の実施形態に係る床構造の底面図であって上階の床を裏面側から見上げた状態を示す図である。
【図２】本発明の実施形態に係る床構造の断面図であって図１のII−II線に相当する部分の矢視断面図である。
【図３】本発明の実施形態に係る床構造の断面図であって図１のIII −III 線に相当する部分の矢視断面図である。
【図４】本発明の実施形態において使用される弾性支持部材の断面図である。
【図５】試験における実施例と比較例の衝撃音等級を示すグラフである。
【符号の説明】
【００４７】
１…床梁    １ａ、１ｂ…縦梁    １ｃ、１ｄ…横梁    １ｅ…ブラケット
２…床材    ２０…連結部材    ２１〜２６…床パネル
２７…パーティクルボード    ３…弾性支持部材    ３１…第１取付部材
３２…第２取付部材    ３３…ゴム弾性体    ３４…ダイヤフラム
３５…仕切部材    ３６…オリフィス通路    ３７…主液室    ３８…副液室
４１〜４８…制振装置    ４１ａ〜４８ａ…取付基部
４１ｂ〜４８ｂ…ゴム弾性体    ４１ｃ〜４８ｃ…マス部材    ４９ａ…取付ボルト           ４９ｂ…ナット
【図１】
2006037399.tif 000003
【図２】
2006037399.tif 000004
【図３】
2006037399.tif 000005
【図４】
2006037399.tif 000006
【図５】
2006037399.tif 000007